(57)【要約】【課題】本発明は高貴な漢方薬草の培養管理システムを開示した。【解決手段】本発明は高貴な漢方薬草の培養管理システムを公示し、培養箱台座と、温度機構と、冷却機構と、光反応機構と、加熱機構と、照明機構と、開閉機構とを含み、前記冷却機構は一つの昇降溝と、環状電磁石と、圧力ばねと、環状鉄皮と、第一電線とを含み、前記光反応機構はフォトレジスターと、方形電磁石と、縦向き電線とを含み、前記照明機構は環状ストリップライトと、支持ブロックと、弾性棒と、大型プラグとを含み、本装置は高貴な漢方薬草を栽培でき、且つ栽培環境の温度と照明を自動的に調節でき、薬草の最適な成長環境を作り、素早く品質の高いの薬草を得ることができる。【選択図】図１
2020182438.tif 000002
【特許請求の範囲】
【請求項１】
正面視で、培養箱台座と、温度機構と、冷却機構と、光反応機構と、加熱機構と、照明機構と、開閉機構とを含み、
前記培養箱台座の上端面には頂部殻体が固定的に設置され、前記培養箱台座の中には上方に開口した培養溝が設置され、前記培養溝の下端壁には栽培ブロックが固定的に設置され、前記栽培ブロックの中には上方に開口した栽培溝が設置され、前記栽培ブロックの左側には前記培養箱台座の後端壁と固定的に連結された電源箱が設置され、前記電源箱の中には第一コンセントと、第二コンセントと、第三コンセントとが設置され、
前記冷却機構は一つの昇降溝と、環状電磁石と、圧力ばねと、環状鉄皮と、第一電線とを含み、前記培養溝の左端壁の中には右方に開口した前記昇降溝が二つ上下対称に設置され、上側の前記昇降溝は前記冷却機構に含まれており、上側の前記昇降溝の中には昇降ブロックがスライド可能に設置され、上側の前記昇降ブロックの上端面には昇降ばねが固定的に設置され、前記昇降ばねの上端が上側の前記昇降溝の上端壁と固定的に連結され、上側の前記昇降ブロックの右端面には昇降棒が固定的に設置され、上側の前記昇降棒の右端には小型プラグが固定的に設置され、上側の前記昇降ブロックの上端壁の中には上方に開口した弓形溝が設置され、前記弓形溝の中には上端が外部に位置する前記環状鉄皮がスライド可能に設置され、前記環状鉄皮の下端面には前記圧力ばねが二つ対称的に、且つ固定的に設置され、二つの前記圧力ばねの下端と前記弓形溝の下端壁とは固定的に連結され、二つの前記圧力ばねの間には前記弓形溝の下端壁と固定的に連結された前記環状電磁石が一つ設置され、
前記光反応機構はフォトレジスターと、方形電磁石と、縦向き電線とを含み、前記フォトレジスターと前記培養溝の後端壁とは固定的に連結され、前記フォトレジスターと前記電源箱とは第二電線によって連通され、前記フォトレジスターの下側には前記培養溝の後端壁と固定的に連結された前記方形電磁石が設置され、前記方形電磁石と前記フォトレジスターとは前記縦向き電線によって連通され、前記方形電磁石と前記電源箱とは横向き電線によって連通され、
前記照明機構は環状ストリップライトと、支持ブロックと、弾性棒と、大型プラグとを含み、前記環状ストリップライトは前記培養溝の端壁に装着され、前記培養溝の後端壁には支持ブロックが固定的に設置され、前記支持ブロックは前記方形電磁石の下側に位置し、前記支持ブロックの中には左方に開口した弾性溝が設置され、前記弾性溝の右端壁には弾性ばねが固定的に設置され、前記弾性ばねの左端には前記弾性溝とスライド可能に連結された前記弾性棒が固定的に設置され、前記弾性棒の左端は前記培養溝の中に位置し、且つ前記弾性棒の左端には前記大型プラグが固定的に設置され、前記大型プラグと前記環状ストリップライトとは第三電線によって連通され、前記大型プラグの右端面の上側には鉄ブロックが固定的に設置されていることを特徴とする高貴な漢方薬草の培養管理システム。
【請求項２】
前記加熱機構は電熱板と第四電線とを含み、前記電熱板が前記培養溝の下端壁の中に嵌められており、前記電熱板と下側の前記小型プラグとが前記第四電線によって連通されていることを特徴とする請求項１に記載の高貴な漢方薬草の培養管理システム。
【請求項３】
前記加熱機構は温度ブロックと、縦向きばねと、ピストン棒と、ピストンとを含み、前記温度ブロックと前記培養溝の左端壁とは固定的に連結され、前記温度ブロックの中には油液溝が設置され、前記油液溝の中には前記ピストンがスライド可能に設置され、前記ピストンの上端面には縦向きばねが左右対称に設置され、前記縦向きばねの上端と前記油液溝の上端壁とは固定的に連結され、前記ピストンの上端面の中心にはピストン棒が固定的に設置され、前記ピストン棒の上端は前記培養溝の中に位置し、前記ピストンの下端面には底部棒が固定的に設置されていることを特徴とする請求項１に記載の高貴な漢方薬草の培養管理システム。
【請求項４】
前記開閉機構は弓形板と、開閉溝と、ハンドルとを含み、前記開閉溝は前記培養溝の右端壁と外部とを連通し、前記開閉溝の中には前記弓形板がヒンジで連結され、前記弓形板の右端面には前記ハンドルが固定されていることを特徴とする請求項１に記載の高貴な漢方薬草の培養管理システム。
【請求項５】
前記フォトレジスターは光の強度につれて変化し、光が強ければ強いほど、前記フォトレジスターの抵抗値が小さくなることを特徴とする請求項１に記載の高貴な漢方薬草の培養管理システム。
【請求項６】
前記ピストンの下側にある前記油液溝の中には比熱容量の小さい油液が満ちていることを特徴とする請求項３に記載の高貴な漢方薬草の培養管理システム。
【請求項７】
前記弾性ばねと前記縦向きばねとは圧縮状態にあることを特徴とする請求項１に記載の高貴な漢方薬草の培養管理システム。
【請求項８】
前記環状鉄皮は前記培養溝と外部との連通を妨害できることを特徴とする請求項１に記載の高貴な漢方薬草の培養管理システム。
【発明の詳細な説明】
【技術分野】
【０００１】
本発明は漢方薬分野を取り上げ、具体的には高貴な漢方薬草の培養管理システムである。
【背景技術】
【０００２】
高貴な漢方薬草は基本的に生育環境に対して、適した温度と充分な日照りを要り、しかし、既存する高貴な漢方薬草の培養と管理はほとんどが人力で行われ、時間と労力がかかり、また、人力では培養環境をうまくコントロールできない。
【先行技術文献】
【特許文献】
【０００３】
【特許文献１】中国特許出願公開第１０６５６１３２１号明細書
【発明の概要】
【発明が解決しようとする課題】
【０００４】
本発明は高貴な漢方薬草の培養管理システムを提供し、既存技術にある上記の欠点を解消することを目的とする。
【課題を解決するための手段】
【０００５】
本発明は以下の技術プランによって実現する：本発明の高貴な漢方薬草の培養管理システムは、主に培養箱台座と、温度機構と、冷却機構と、光反応機構と、加熱機構と、照明機構と、開閉機構とを含む。
【０００６】
前記培養箱台座の上端面には頂部殻体が固定的に設置され、前記培養箱台座の中には上方に開口した培養溝が設置され、前記培養溝の下端壁には栽培ブロックが固定的に設置され、前記栽培ブロックの中には上方に開口した栽培溝が設置され、前記栽培ブロックの左側には前記培養箱台座の後端壁と固定的に連結された電源箱が設置され、前記電源箱の中には第一コンセントと、第二コンセントと、第三コンセントとが設置されている。
【０００７】
前記冷却機構は一つの昇降溝と、環状電磁石と、圧力ばねと、環状鉄皮と、第一電線とを含み、前記培養溝の左端壁の中には右方に開口した前記昇降溝が二つ上下対称に設置され、上側の前記昇降溝は前記冷却機構に含まれており、上側の前記昇降溝の中には昇降ブロックがスライド可能に設置され、上側の前記昇降ブロックの上端面には昇降ばねが固定的に設置され、前記昇降ばねの上端が上側の前記昇降溝の上端壁と固定的に連結され、上側の前記昇降ブロックの右端面には昇降棒が固定的に設置され、上側の前記昇降棒の右端には小型プラグが固定的に設置され、上側の前記昇降ブロックの上端壁の中には上方に開口した弓形溝が設置され、前記弓形溝の中には上端が外部に位置する前記環状鉄皮がスライド可能に設置され、前記環状鉄皮の下端面には前記圧力ばねが二つ対称的に、且つ固定的に設置され、二つの前記圧力ばねの下端と前記弓形溝の下端壁とは固定的に連結され、二つの前記圧力ばねの間には前記弓形溝の下端壁と固定的に連結された前記環状電磁石が一つ設置されている。
【０００８】
前記光反応機構はフォトレジスターと、方形電磁石と、縦向き電線とを含み、前記フォトレジスターと前記培養溝の後端壁とは固定的に連結され、前記フォトレジスターと前記電源箱とは第二電線によって連通され、前記フォトレジスターの下側には前記培養溝の後端壁と固定的に連結された前記方形電磁石が設置され、前記方形電磁石と前記フォトレジスターとは前記縦向き電線によって連通され、前記方形電磁石と前記電源箱とは横向き電線によって連通されている。
【０００９】
前記照明機構は環状ストリップライトと、支持ブロックと、弾性棒と、大型プラグとを含み、前記環状ストリップライトは前記培養溝の端壁に装着され、前記培養溝の後端壁には支持ブロックが固定的に設置され、前記支持ブロックは前記方形電磁石の下側に位置し、前記支持ブロックの中には左方に開口した弾性溝が設置され、前記弾性溝の右端壁には弾性ばねが固定的に設置され、前記弾性ばねの左端には前記弾性溝とスライド可能に連結された前記弾性棒が固定的に設置され、前記弾性棒の左端は前記培養溝の中に位置し、且つ前記弾性棒の左端には前記大型プラグが固定的に設置され、前記大型プラグと前記環状ストリップライトとは第三電線によって連通され、前記大型プラグの右端面の上側には鉄ブロックが固定的に設置されている。
【００１０】
さらなる技術プランとして、前記加熱機構は電熱板と第四電線とを含み、前記電熱板が前記培養溝の下端壁の中に嵌められており、前記電熱板と下側の前記小型プラグとが前記第四電線によって連通されている。
【００１１】
さらなる技術プランとして、前記加熱機構は温度ブロックと、縦向きばねと、ピストン棒と、ピストンとを含み、前記温度ブロックと前記培養溝の左端壁とは固定的に連結され、前記温度ブロックの中には油液溝が設置され、前記油液溝の中には前記ピストンがスライド可能に設置され、前記ピストンの上端面には縦向きばねが左右対称に設置され、前記縦向きばねの上端と前記油液溝の上端壁とは固定的に連結され、前記ピストンの上端面の中心にはピストン棒が固定的に設置され、前記ピストン棒の上端は前記培養溝の中に位置し、前記ピストンの下端面には底部棒が固定的に設置されている。
【００１２】
さらなる技術プランとして、前記開閉機構は弓形板と、開閉溝と、ハンドルとを含み、前記開閉溝は前記培養溝の右端壁と外部とを連通し、前記開閉溝の中には前記弓形板がヒンジで連結され、前記弓形板の右端面には前記ハンドルが固定されている。
【００１３】
さらなる技術プランとして、前記フォトレジスターは光の強度につれて変化し、光が強ければ強いほど、前記フォトレジスターの抵抗値が小さくなる。
【００１４】
さらなる技術プランとして、前記ピストンの下側にある前記油液溝の中には比熱容量の小さい油液が満ちている。
【００１５】
さらなる技術プランとして、前記弾性ばねと前記縦向きばねとは圧縮状態にある。
【００１６】
さらなる技術プランとして、前記環状鉄皮は前記培養溝と外部との連通を妨害できる。
【発明の効果】
【００１７】
本発明のメリットは：本装置は高貴な漢方薬草を栽培でき、且つ栽培環境の温度と照明を自動的に調節でき、薬草の最適な成長環境を作り、素早く品質の高いの薬草を得ることができる。
【図面の簡単な説明】
【００１８】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１９】
【図１】図１は本発明の高貴な漢方薬草の培養管理システムの全体断面の正面構成略図
【図２】図２は図１におけるＡ―Ａ方向からの略図
【図３】図３は図１におけるＣ―Ｃ方向からの略図
【図４】図４は図１におけるＢ―Ｂ方向からの略図
【図５】図５は図１におけるＤの拡大略図
【図６】図６は図１におけるＥの拡大略図
【発明を実施するための形態】
【００２０】
図１〜６を交え、本発明の高貴な漢方薬草の培養管理システムは、主に培養箱台座１０と、温度機構６０と、冷却機構６１と、光反応機構６２と、加熱機構６３と、照明機構６４と、開閉機構６５とを含む。
【００２１】
前記培養箱台座１０の上端面には頂部殻体２８が固定的に設置され、前記培養箱台座１０の中には上方に開口した培養溝３３が設置され、前記培養溝３３の下端壁には栽培ブロック３４が固定的に設置され、前記栽培ブロック３４の中には上方に開口した栽培溝３７が設置され、前記栽培ブロック３４の左側には前記培養箱台座１０の後端壁と固定的に連結された電源箱３８が設置され、前記電源箱３８の中には第一コンセント３９と、第二コンセント２１と、第三コンセント４２とが設置されている。
【００２２】
前記冷却機構６１は一つの昇降溝１３と、環状電磁石２３と、圧力ばね２２と、環状鉄皮２４と、第一電線１６とを含み、前記培養溝３３の左端壁の中には右方に開口した前記昇降溝１３が二つ上下対称に設置され、上側の前記昇降溝１３は前記冷却機構６１に含まれており、上側の前記昇降溝１３の中には昇降ブロック１４がスライド可能に設置され、上側の前記昇降ブロック１４の上端面には昇降ばね１２が固定的に設置され、前記昇降ばね１２の上端が上側の前記昇降溝１３の上端壁と固定的に連結され、上側の前記昇降ブロック１４の右端面には昇降棒１５が固定的に設置され、上側の前記昇降棒１５の右端には小型プラグ１１が固定的に設置され、上側の前記昇降ブロック１４の上端壁の中には上方に開口した弓形溝４１が設置され、前記弓形溝４１の中には上端が外部に位置する前記環状鉄皮２４がスライド可能に設置され、前記環状鉄皮２４の下端面には前記圧力ばね２２が二つ対称的に、且つ固定的に設置され、二つの前記圧力ばね２２の下端と前記弓形溝４１の下端壁とは固定的に連結され、二つの前記圧力ばね２２の間には前記弓形溝４１の下端壁と固定的に連結された前記環状電磁石２３が一つ設置されている。
【００２３】
前記光反応機構６２はフォトレジスター２７と、方形電磁石４４と、縦向き電線２６とを含み、前記フォトレジスター２７と前記培養溝３３の後端壁とは固定的に連結され、前記フォトレジスター２７と前記電源箱３８とは第二電線２５によって連通され、前記フォトレジスター２７の下側には前記培養溝３３の後端壁と固定的に連結された前記方形電磁石４４が設置され、前記方形電磁石４４と前記フォトレジスター２７とは前記縦向き電線２６によって連通され、前記方形電磁石４４と前記電源箱３８とは横向き電線４３によって連通されている。  
【００２４】
前記照明機構６４は環状ストリップライト２９と、支持ブロック４８と、弾性棒４９と、大型プラグ５０とを含み、前記環状ストリップライト２９は前記培養溝３３の端壁に装着され、前記培養溝３３の後端壁には支持ブロック４８が固定的に設置され、前記支持ブロック４８は前記方形電磁石４４の下側に位置し、前記支持ブロック４８の中には左方に開口した弾性溝４６が設置され、前記弾性溝４６の右端壁には弾性ばね４７が固定的に設置され、前記弾性ばね４７の左端には前記弾性溝４６とスライド可能に連結された前記弾性棒４９が固定的に設置され、前記弾性棒４９の左端は前記培養溝３３の中に位置し、且つ前記弾性棒４９の左端には前記大型プラグ５０が固定的に設置され、前記大型プラグ５０と前記環状ストリップライト２９とは第三電線３６によって連通され、前記大型プラグ５０の右端面の上側には鉄ブロック４５が固定的に設置されている。
【００２５】
前記加熱機構６３は電熱板３５と第四電線４０とを含み、前記電熱板３５が前記培養溝３３の下端壁の中に嵌められており、前記電熱板３５と下側の前記小型プラグ１１とが前記第四電線４０によって連通されている。
【００２６】
前記温度機構６０は温度ブロック５１と、縦向きばね５２と、ピストン棒５３と、ピストン５４とを含み、前記温度ブロック５１と前記培養溝３３の左端壁とは固定的に連結され、前記温度ブロック５１の中には油液溝５６が設置され、前記油液溝５６の中には前記ピストン５４がスライド可能に設置され、前記ピストン５４の上端面には縦向きばね５２が左右対称に設置され、前記縦向きばね５２の上端と前記油液溝５６の上端壁とは固定的に連結され、前記ピストン５４の上端面の中心にはピストン棒５３が固定的に設置され、前記ピストン棒５３の上端は前記培養溝３３の中に位置し、前記ピストン５４の下端面には底部棒５５が固定的に設置され、前記底部棒５５の下端は前記培養溝３３の中に位置する。
【００２７】
前記開閉機構６５は弓形板３１と、開閉溝３２と、ハンドル３０とを含み、前記開閉溝３２は前記培養溝３３の右端壁と外部とを連通し、前記開閉溝３２の中には前記弓形板３１がヒンジで連結され、前記弓形板３１の右端面には前記ハンドル３０が固定されている。
【００２８】
前記フォトレジスター２７は光の強度につれて変化し、光が強ければ強いほど、前記フォトレジスター２７の抵抗値が小さくなる。
【００２９】
前記ピストン５４の下側にある前記油液溝５６の中には比熱容量の小さい油液が満ちている。
【００３０】
前記弾性ばね４７と前記縦向きばね５２とは圧縮状態にある。
【００３１】
前記環状鉄皮２４は前記培養溝３３と外部との連通を妨害できる。
【００３２】
装置全体の操作手順は以下の通りである：
【００３３】
１、ハンドル３０を引き動かし、弓形板３１を開け、栽培溝３７の中に土を入れ、漢方薬草を植え、そして弓形板３１を閉じ、培養を行う。
【００３４】
２、油液溝５６の中の油液は培養溝３３の中の温度変化によって膨張又は縮小し、もし培養溝３３の中の温度が高すぎると、ピストン棒５３は上昇し、上側の小型プラグ１１を押して第二コンセント２１の中に挿入させ、電源箱３８は上側の小型プラグ１１を通電させ、第一電線１６の伝導によって環状電磁石２３は通電状態になり、磁力を生み、環状電磁石２３は環状鉄皮２４を吸引し、環状鉄皮２４を弓形溝４１の中に降下させ、それにより、培養溝３３と外部とは連通し、通風して冷却を行う。
【００３５】
３、もし培養溝３３の中の温度が低すぎると、ピストン棒５３は降下し、下側の小型プラグ１１を押して第一コンセント３９の中に挿入させ、電源箱３８は下側の小型プラグ１１を通電させ、第四電線４０の伝導によって電熱板３５は通電状態になり、熱量を生み、装置を加熱する。
【００３６】
４、頂部殻体２８は透明透光材料で作られ、フォトレジスター２７は光の強度を感知することで抵抗値を変え、それにより、方形電磁石４４に通過した電流は変化でき、光の強度が足りない時に、方形電磁石４４に通過した電流は小さく、方形電磁石４４が生んだ磁力も小さく、弾性ばね４７は復位し、大型プラグ５０を連動させて第三コンセント４２の中に挿入させ、第三電線３６の伝導により、環状ストリップライト２９は通電状態になり、発光し、生薬に光を提供する。
【００３７】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020182438.tif 000003
【図２】
2020182438.tif 000004
【図３】
2020182438.tif 000005
【図４】
2020182438.tif 000006
【図５】
2020182438.tif 000007
【図６】
2020182438.tif 000008
【手続補正書】
【提出日】令和2年1月3日(2020.1.3)
【手続補正１】
【補正対象書類名】特許請求の範囲
【補正対象項目名】全文
【補正方法】変更
【補正の内容】
【特許請求の範囲】
【請求項１】
正面視で、培養箱台座と、温度機構と、冷却機構と、光反応機構と、加熱機構と、照明機構と、開閉機構とを含み、
前記培養箱台座の上端面には頂部殻体が固定的に設置され、前記培養箱台座の中には上方に開口した培養溝が設置され、前記培養溝の下端壁には栽培ブロックが固定的に設置され、前記栽培ブロックの中には上方に開口した栽培溝が設置され、前記栽培ブロックの左側には前記培養箱台座の後端壁と固定的に連結された電源箱が設置され、前記電源箱の中には第一コンセントと、第二コンセントと、第三コンセントとが設置され、
前記冷却機構は一つの昇降溝と、環状電磁石と、圧力ばねと、環状鉄皮と、第一電線とを含み、前記培養溝の左端壁の中には右方に開口した前記昇降溝が二つ上下対称に設置され、上側の前記昇降溝は前記冷却機構に含まれており、上側の前記昇降溝の中には昇降ブロックがスライド可能に設置され、上側の前記昇降ブロックの上端面には昇降ばねが固定的に設置され、前記昇降ばねの上端が上側の前記昇降溝の上端壁と固定的に連結され、上側の前記昇降ブロックの右端面には昇降棒が固定的に設置され、上側の前記昇降棒の右端には小型プラグが固定的に設置され、上側の前記昇降ブロックの上端壁の中には上方に開口した弓形溝が設置され、前記弓形溝の中には上端が外部に位置する前記環状鉄皮がスライド可能に設置され、前記環状鉄皮の下端面には前記圧力ばねが二つ対称的に、且つ固定的に設置され、二つの前記圧力ばねの下端と前記弓形溝の下端壁とは固定的に連結され、二つの前記圧力ばねの間には前記弓形溝の下端壁と固定的に連結された前記環状電磁石が一つ設置され、
前記光反応機構はフォトレジスターと、方形電磁石と、縦向き電線とを含み、前記フォトレジスターと前記培養溝の後端壁とは固定的に連結され、前記フォトレジスターと前記電源箱とは第二電線によって連通され、前記フォトレジスターの下側には前記培養溝の後端壁と固定的に連結された前記方形電磁石が設置され、前記方形電磁石と前記フォトレジスターとは前記縦向き電線によって連通され、前記方形電磁石と前記電源箱とは横向き電線によって連通され、
前記照明機構は環状ストリップライトと、支持ブロックと、弾性棒と、大型プラグとを含み、前記環状ストリップライトは前記培養溝の端壁に装着され、前記培養溝の後端壁には支持ブロックが固定的に設置され、前記支持ブロックは前記方形電磁石の下側に位置し、前記支持ブロックの中には左方に開口した弾性溝が設置され、前記弾性溝の右端壁には弾性ばねが固定的に設置され、前記弾性ばねの左端には前記弾性溝とスライド可能に連結された前記弾性棒が固定的に設置され、前記弾性棒の左端は前記培養溝の中に位置し、且つ前記弾性棒の左端には前記大型プラグが固定的に設置され、前記大型プラグと前記環状ストリップライトとは第三電線によって連通され、前記大型プラグの右端面の上側には鉄ブロックが固定的に設置され、
前記加熱機構は電熱板と第四電線とを含み、前記電熱板が前記培養溝の下端壁の中に嵌められており、前記電熱板と下側の前記小型プラグとが前記第四電線によって連通され、
前記加熱機構は温度ブロックと、縦向きばねと、ピストン棒と、ピストンとを含み、前記温度ブロックと前記培養溝の左端壁とは固定的に連結され、前記温度ブロックの中には油液溝が設置され、前記油液溝の中には前記ピストンがスライド可能に設置され、前記ピストンの上端面には縦向きばねが左右対称に設置され、前記縦向きばねの上端と前記油液溝の上端壁とは固定的に連結され、前記ピストンの上端面の中心にはピストン棒が固定的に設置され、前記ピストン棒の上端は前記培養溝の中に位置し、前記ピストンの下端面には底部棒が固定的に設置され、
前記開閉機構は弓形板と、開閉溝と、ハンドルとを含み、前記開閉溝は前記培養溝の右端壁と外部とを連通し、前記開閉溝の中には前記弓形板がヒンジで連結され、前記弓形板の右端面には前記ハンドルが固定されていることを特徴とする高貴な漢方薬草の培養管理システム。
【請求項２】
前記フォトレジスターは光の強度につれて変化し、光が強ければ強いほど、前記フォトレジスターの抵抗値が小さくなることを特徴とする請求項１に記載の高貴な漢方薬草の培養管理システム。
【請求項３】
前記ピストンの下側にある前記油液溝の中には比熱容量の小さい油液が満ちていることを特徴とする請求項１に記載の高貴な漢方薬草の培養管理システム。
【請求項４】
前記弾性ばねと前記縦向きばねとは圧縮状態にあることを特徴とする請求項１に記載の高貴な漢方薬草の培養管理システム。
【請求項５】
前記環状鉄皮は前記培養溝と外部との連通を妨害できることを特徴とする請求項１に記載の高貴な漢方薬草の培養管理システム。